(57)【要約】【課題】  撮像性能を劣化させることなく小型化が可能で安価なズームレンズを提供する。【解決手段】  鏡胴を光軸（ＣＬ）方向に２分割し、少なくとも光軸（ＣＬ）に略直交する第１の壁面（１ａ，２ａ）と第１の壁面（１ａ，２ａ）に連接し光軸（ＣＬ）方向に延在する第２の壁面（１ｂ，２ｂ）とを有すると共に光軸に沿った少なくとも１面を略開口して成る第１及び第２の鏡胴（１，２）とし、第２の壁面（１ｂ，２ｂ）に反射防止リブ部（１ｇ，２ｇ）を形成し、４本のシャフト（８Ａ〜８Ｄ）を、その両端側から第１及び第２の鏡胴（１，２）で支持し、変倍レンズ枠（１１）の第１係合部（１１ａ，１１ｃ）と合焦レンズ枠（１５）の第２係合部（１５ｂ，１５ｃ）とを、それぞれ異なるシャフト（８Ａ，８Ｃ，８Ｂ，８Ｄ）に係合させた。【選択図】      図２
2005156934.tif 000002
【特許請求の範囲】
【請求項１】
鏡胴と、
光軸に沿って前記鏡胴の内側に配置された複数のシャフトと、
変倍レンズを保持した変倍レンズ枠であって、異なる前記シャフトのそれぞれに係合する２つの第１係合部を有する変倍レンズ枠と、
合焦レンズを保持した合焦レンズ枠であって、異なる前記シャフトのそれぞれに係合する２つの第２係合部と有する合焦レンズ枠と、
固定マスターレンズを保持し前記変倍レンズ枠と前記合焦レンズ枠の間に配置された固定レンズ枠と、を備えたズームレンズにおいて、
前記鏡胴を前記光軸方向に２分割して第１及び第２の鏡胴にすると共に、該第１及び第２の鏡胴を、少なくとも光軸に略直交する第１の壁面と該第１の壁面に連接し前記光軸方向に延在する第２の壁面とを有すると共に前記光軸に沿った少なくとも１面を略開口して成る第１及び第２の鏡胴とし、
前記第２の壁面に反射防止リブ部を形成し、
前記シャフトを、該シャフトの両端側から前記第１及び第２の鏡胴で支持し、
前記変倍レンズ枠の前記第１係合部と前記合焦レンズ枠の前記第２係合部とを、それぞれ異なる前記シャフトに係合させて成ることを特徴とするズームレンズ。
【請求項２】
前記固定レンズ枠に前記シャフトと係合する第３係合部を設け、前記第３係合部に前記第１及び第２の鏡胴を前記光軸の両方向から略当接させ前記固定レンズ枠の位置決めをする構成にしたことを特徴とする請求項１記載のズームレンズ。
【発明の詳細な説明】
【技術分野】
【０００１】
本発明は、ビデオカメラやスチルカメラ等に用いられるズームレンズに関する。
【背景技術】
【０００２】
多くのビデオカメラやスチルカメラには、所謂ズームレンズと称される合焦しつつ変倍可能な機能を有するレンズが搭載されている。
そして、これらのカメラの携帯性を向上させるために、カメラ本体を小型で軽量にすることが望まれており、これに伴い、ズームレンズも性能を向上させつつ小型軽量化することが要求されている。
【０００３】
一般に、ズームレンズを構成するレンズは、被写体側から順に、前玉レンズ，変倍レンズ，アイリス，固定マスターレンズ及び合焦レンズで構成されている。
前玉レンズ及び固定マスターレンズは固定であり、変倍レンズと合焦レンズは光軸方向に移動可能とされている。
また、ズームレンズの鏡筒内面には、撮影画像に悪影響を及ぼす入射光の乱反射を防止するための、ひだ状に連続して突出する反射防止リブが設けられている。
通常、鏡筒は複雑な形状になるので、量産性と低コストを目的としてポリカーボネート等の熱可塑性樹脂を射出成形することで形成されている。
【０００４】
ところで、従来、ズームレンズやその鏡筒構造として、上述の小型軽量化を実現するために種々の構造形態が提案されてきた。
例えば、本出願人が出願した特許文献１に記載されたレンズ鏡筒がある。
このレンズ鏡筒は、前玉レンズを保持する前鏡筒とそれより後方の後鏡筒とに２分割され、後鏡筒の前後方向から、２本のシャフトに支持されて移動する各可動レンズ（枠）を、それらを摺動可能に支持するシャフトと共に挿入して組み立てる構造となっている。
また、他の構造形態として、特許文献２に記載されたズームレンズ鏡胴がある。
このズームレンズ鏡胴は、光軸に沿う一側壁が開口された函体とこの開口を覆う蓋部材とで構成されたものである。
【特許文献１】特開２００２−２５８１３９号公報
【特許文献２】特開平５−２３２３６９号公報
【発明の開示】
【発明が解決しようとする課題】
【０００５】
しかしながら、特許文献１に記載されたレンズ鏡筒を有するズームレンズにおいては、シャフトの本数をさらに増加させて可動レンズを安定支持することが可能である反面、後鏡筒は略筒状であるので、反射防止リブを射出成形で形成する場合、金型からの抜き方向に対してアンダーカットになる一方、筒状であることから内スライド構造も採用し難く成形が困難であるという問題があった。
また、反射防止機能を成形以外の方法で得ようとすると、鏡筒内壁を光軸から遠ざけるか、反射防止機能を有する別部品を配置する必要があり、レンズ全体が大きくなったり、部品数増加によるコストアップとなるという問題があった。
【０００６】
一方、特許文献２に記載されたレンズ鏡胴を有するズームレンズにおいては、射出成形において所謂順抜きにより反射防止リブを形成できる利点があるものである。
しかしながら、ガイドシャフトを軸と直交する方向から配設して固定する構造になるので、ガイドシャフトが支持する可動レンズの摺動性と移動精度を良好にするためにそのシャフト本数を多く（例えば４本に）しようとすると、配置設計が難しく、多くの制約が生じて全体を小型化するのが困難になるという問題があった。
従って、このズームレンズを搭載した機器においては、その画像の解像度低下が顕著であったり画揺れ等の撮像性能の劣化が大きくなり易いという問題があった。
そこで、本発明は、撮像性能を劣化させることなく小型化が可能で安価なズームレンズを提供することにある。
【課題を解決するための手段】
【０００７】
上記の課題を解決するために、本願発明は手段として次の構成を有する。
即ち、請求項１に係る発明は、鏡胴と、光軸（ＣＬ）に沿って前記鏡胴の内側に配置された複数のシャフト（８Ａ〜８Ｄ）と、変倍レンズ（１０）を保持した変倍レンズ枠であって、異なる前記シャフト（８Ａ，８Ｃ）のそれぞれに係合する２つの第１係合部（１１ａ，１１ｃ）を有する変倍レンズ枠（１１）と、合焦レンズ（１４）を保持した合焦レンズ枠であって、異なる前記シャフト（８Ｂ，８Ｄ）のそれぞれに係合する２つの第２係合部（１５ｂ，１５ｃ）と有する合焦レンズ枠（１５）と、固定マスターレンズ（１２）を保持し前記変倍レンズ枠（１１）と前記合焦レンズ枠（１５）の間に配置された固定レンズ枠（１３）と、を備えたズームレンズにおいて、
前記鏡胴を前記光軸（ＣＬ）方向に２分割して第１及び第２の鏡胴（１，２）にすると共に、該第１及び第２の鏡胴（１，２）を、少なくとも光軸（ＣＬ）に略直交する第１の壁面（１ａ，２ａ）と該第１の壁面（１ａ，２ａ）に連接し前記光軸（ＣＬ）方向に延在する第２の壁面（１ｂ，２ｂ）とを有すると共に前記光軸に沿った少なくとも１面を略開口して成る第１及び第２の鏡胴（１，２）とし、前記第２の壁面（１ｂ，２ｂ）に反射防止リブ部（１ｇ，２ｇ）を形成し、
前記シャフト（８Ａ〜８Ｄ）を、該シャフト（８Ａ〜８Ｄ）の両端側から前記第１及び第２の鏡胴（１，２）で支持し、前記変倍レンズ枠（１１）の前記第１係合部（１１ａ，１１ｃ）と前記合焦レンズ枠（１５）の前記第２係合部（１５ｂ，１５ｃ）とを、それぞれ異なる前記シャフト（８Ａ，８Ｃ，８Ｂ，８Ｄ）に係合させて成ることを特徴とするズームレンズ（１００）である。
また、請求項２に係る発明は、前記固定レンズ枠（１３）に前記シャフト（８Ｄ）と係合する第３係合部（１３ｃ）を設け、前記第３係合部（１３ｃ２）に前記第１及び第２の鏡胴（１，２）を前記光軸（ＣＬ）の両方向から略当接させ前記固定レンズ枠（１３）の位置決めをする構成にしたことを特徴とする請求項１記載のズームレンズ（１００）である。
【発明の効果】
【０００８】
本発明によれば、解像度劣化がなく画揺れも生じない小型で安価なズームレンズを得るという効果を奏する。
【発明を実施するための最良の形態】
【０００９】
本発明の実施の形態を、好ましい実施例により図１〜図７を用いて説明する。
図１は、本発明のズームレンズの実施例の外観斜視図であり、
図２は、本発明のズームレンズの実施例を説明する組立図であり、
図３は、本発明のズームレンズの実施例における要部を説明する第１の斜視図であり、
図４は、本発明のズームレンズの実施例における要部を説明する第２の斜視図であり、
図５は、本発明のズームレンズの実施例における要部を説明する正面図であり、
図６は、本発明のズームレンズの実施例における要部を説明する底面図であり、
図７は、本発明のズームレンズの実施例における要部を説明する側面図である。
【００１０】
本発明のズームレンズ１００の実施例の外観斜視図を図１に示す。また、このズームレンズ１００の組立図を図２に示す。
各図に示すように、このズームレンズ１００は、前鏡胴１，後鏡胴２，レンズブロック４，アイリスブロック５，駆動ユニット６及びアクチュエータ５０を備えている。
前鏡胴１と後鏡胴２とは、光軸ＣＬに沿って概ね前後に分割されて成るレンズの筐体であり、ねじ３で締結され鏡胴として一体化される。
以下に各部材の詳細について説明する。尚、上・下・前・後・左・右の各方向は図２に示す方向で統一する。
【００１１】
＜前鏡胴１について＞
前鏡胴１は、光軸に概ね直交する前壁１ａとこの前壁１ｂに連接し光軸に沿って延在する左壁１ｂ及び上壁１ｃの３つの壁を有すると共に後方側及び右方側が開口した筐体であり、ポリカーボネート（ＰＣ）を射出成形して形成される。
従って、これを成形する金型は、光軸の前後方向にスライドするスライド型を有して上下方向に型開きする構造とされ、この構造の金型により前鏡胴１は形成される。
前壁１ａには、円形に開口したレンズ枠１ｄが形成され、このレンズ枠１ｄに前玉レンズ７が固定される。
前壁１ａの後方側の面には、後述する４本のガイドシャフト８を嵌め込んで支持するシャフト穴１ｅが４箇所形成されている。
上壁１ｃには、詳細を後述する駆動ユニット６をねじで締結するための下穴１ｆが形成されている。
また、上壁１ｃの下方側の面には、前玉レンズ７から入射した光の反射を防止する反射防止リブ１ｇが形成されている。この反射防止リブ１ｇは、後鏡胴２に形成されているものと同様であり、詳細は後述する。
【００１２】
＜後鏡胴２について＞
後鏡胴２は、光軸に概ね直交する後壁２ａとこの後壁２ａに連接し光軸に沿って延在する右壁２ｂ及び下壁２ｃの３つの壁を有すると共に前方側及び左方側が開口した筐体であり、ＰＣを射出成形して形成される。
従って、これを成形する金型は、光軸の前後方向にスライドするスライド型を有して上下方向に型開きする構造とされ、この構造の金型により後鏡胴２は成形される。
後壁２ａには、略矩形の開口部を有する撮像素子装着部２ｄが形成され、ローパスフィルタ９Ａや撮像素子９が装着される。使用される撮像素子９としては、例えばＣＣＤ（Ｃｈａｒｇｅ−Ｃｏｕｐｌｅｄ  Ｄｅｖｉｃｅ）がある。
後壁２ａの前方側の面には、上述の４本のガイドシャフトを嵌め込んで支持するガイドシャフト穴２ｅが４箇所形成されている。
【００１３】
また、後壁２ａの上端部には、駆動ブロック６をねじ３で締結するための下穴２ｆが形成されている。
右壁２ｂの上端部には、駆動ブロック６の位置決めをするためにそれと係合する突起２ｈが２箇所形成されている。
下壁２ｃの内側の面には、反射防止リブ２ｇが形成されている。これは、光軸にほぼ直交する方向に稜線を有して光軸方向に所定間隔で複数形成された円弧状リブであり、光の内面反射を有効に防止する。上述のように、この反射防止リブは前鏡胴１にも同様に形成されている。
【００１４】
＜レンズブロック５について＞
次に、レンズブロック５について図２，図３及び図６を用いて説明する。
図３は、レンズブロック５の斜視図であり、図６は、このブロックを下方から見た図である。
【００１５】
このレンズブロック５は、変倍レンズ１０を固定した変倍レンズ枠１１と、固定マスターレンズ１２を固定した固定レンズ枠１３と、合焦レンズ１４を固定した合焦レンズ枠１５と、これらのレンズ枠のガイドシャフト孔に挿通して支持する４本のガイドシャフト８と、変倍レンズ枠１１に固定されこの枠をガイドシャフトに対して摺動させるための駆動ユニット６のリードスクリュー６ａと係合するホルダー部１６と、合焦レンズ枠１５に固定されこの枠をガイドシャフト８に対して摺動させるためのアクチュエータ５０のＵ字状ヨーク５０ａに遊嵌して配置されるコイル１７とを備えている。
各レンズ枠１１，１３，１５は、ＰＣを射出成形して形成し、ガイドシャフト８はＳＵＳ材で形成し、ホルダー部１６は、ポリアセタール（ＰＯＭ）を射出成形して形成されている。
【００１６】
変倍レンズ枠１１は、左右方向に延出した第１，第２の腕部１１ａ，１１ｂを有している。第１の腕部１１ａには、下側に開口したＵ字状切欠部１１ａ１が形成されており、このＵ字状切欠部１１ａ１がガイドシャフト８Ａに対し左右方向のガタが無いように摺動自在に嵌合している。
また、第１の腕部１１ａの上面には、変倍レンズ枠１１の光軸方向の基準位置を検出するために配置された位置センサ５１（図１参照）を動作させる基準位置検出突起１１ｅが形成されている。
第２の腕部１１ｂの先端部分には、光軸の後ろ方向に折れ曲がって連接し長さＬ１を有する連接腕部１１ｃが形成されている。また、この連接腕部１１ｃには貫通孔１１ｃ１が形成され、この貫通孔１１ｃ１がガイドシャフト８Ｃにガタが無く摺動自在に嵌合している。
第２の腕部１１ｂの上面には、ホルダー部１６のピン１６ａを挟持して保持するためのスリット１１ｄ１を有する挟持部１１ｄが形成されている。
【００１７】
固定レンズ枠１３は、左右方向に延出した第１，第２の腕部１３ａ，１３ｂを有している。第１の腕部１３ａには、外側に開口したＵ字状切欠部１３ａ１が形成されており、このＵ字状切欠部１３ａ１がガイドシャフト８Ａに上下方向のガタが無く摺動自在に嵌合している。
第２の腕部１３ｂの先端部分には、光軸の前方向に折れ曲がって連接し長さＬ２を有する連接腕部１３ｃが形成されている。また、この連接腕部１３ｃには貫通孔１３ｃ１が形成され、この貫通孔１３ｃ１がガイドシャフト８Ｄにガタが無く摺動自在に嵌合している。
【００１８】
合焦レンズ枠１５は、左右方向に延出した第１，第２の腕部１５ａ，１５ｂを有している。第１の腕部１３ａには、シャフト８Ａの径よりも大きい径の貫通孔１５ａ１が形成され、シャフト８Ａが接触しないように挿通されている。
また、光軸の前方向に折れ曲がって連接し長さＬ３（図６参照）を有する連接腕部１５ｃが形成されている。この連接腕部１５ｃには貫通孔１５ｃ１が形成され、この貫通孔１５ｃ１がガイドシャフト８Ｂにガタが無く摺動自在に嵌合している。また、この連接腕部１５ｃの中間部１５ｃ２は壁が一部切除されており、シャフト８Ｂが露出している。さらに、連接腕部１５ｃには、コイル１７が固定されている。
一方、第２の腕部１５ｂには、その上下に対向する辺の間隔がガイドシャフトと略同一の矩形孔１５ｂ１が形成されており、ガイドシャフト８Ｄが上下方向にガタ無く摺動自在に嵌合している。
【００１９】
ホルダー部１６は、上下方向に立設した板状のベース部１６ａと、このベース部１６ａと所定間隔を隔てて対向立設した舌片状の係合部１６ｂとを備えている。
ベース部１６ａ及び係合部１６ｂの先端内側面には、後述するリードスクリュー１６ａを装着するときの誘いとなる傾斜部１６ａ１が形成されている。
また、係合部１６ｂは、可撓性を有しており外側方向に撓むことができる。
【００２０】
レンズブロック４の上方から駆動ユニット６を装着する際に、このベース部１６ａと係合部１６ｂとの間にリードスクリュー６ａを挿入する。
ベース部１６ａと係合部１６ｂとの間隔はリードスクリュー６ａよりも狭く設定してあるので、係合部１６ｂはスクリューのリードを付勢しつつこれに係合し、リードスクリュー６ａの回転に応じて光軸の前後方向に移動する（図７参照）。
これにより、変倍レンズ枠１１はガイドシャフト８Ａ，８Ｂ上を光軸方向に摺動する。
リードスクリュー６ａは、パルスモータ１６ｃにより駆動される。変倍レンズは、ズーム動作が必要な場合にのみ駆動されるので、パルスモータ１６ｃを使用するのが好ましく、その場合には、駆動パルス数を利用して変倍レンズ枠の移動距離を判定することができる。
【００２１】
後鏡胴２に固定されたアクチュエータ５０は、図５，図６に示すように、Ｕ字状に形成されたヨーク５０ａとこのヨーク５０ａの内面に取り付けられたマグネット５０ｂと、合焦レンズ枠１５に固定されヨーク５０ａの一方の腕を遊嵌させたコイル１７とより構成される。
コイル１７に流す電流値とその方向とを制御することで、コイル１７と一体化した合焦レンズ枠１５を、ガイドシャフト８Ｂ，８Ｄ上で光軸の前後方向に任意の速度で摺動させることができる。
合焦レンズ枠１５は、常時使用される合焦動作に関わり、駆動源は常に通電状態となるので、消費電力の少ない上記構成のアクチュエータを用いることことが好ましい。
また、合焦レンズ枠１５の移動距離（位置）を判定するために、第１の腕１５ａの外側に所定のＮＳパターンで着磁されたポジションマグネット１８を取り付けてあり、図示しない磁気センサーをこれに隣接配置させ、光軸方向の移動距離（位置）を判定することができるように構成されている。
【００２２】
アイリスブロック５は、アイリス部５ａとこれを駆動して所定の絞りを得るアイリスモータ５ｂとを備えている。アイリス部５ａは、変倍レンズ１０と固定マスターレンズ１２との間に配置される。
【００２３】
＜組立について＞
上述した構成のズームレンズの組立手順について図２を用いて以下に説明する。
レンズブロック５を、その前後方向から、ガイドシャフト８と前鏡胴１のシャフト孔１ｅ及び後鏡胴２のシャフト孔２ｅとが係合するように前鏡胴１と後鏡胴２とで挟み込み、前鏡胴１と後鏡胴２とをねじ３ａ，３ｂで締結して一体化する。
アイリスブロック５と駆動ブロック６とを上方から装着し、それぞれねじ３ｃ，３ｅで前鏡胴１及び後鏡胴２に締結して一体化する。
従って、このズームレンズは、レンズブロック５の組み付けにおいて、そのガイドシャフト８を押さえる専用部材が不要であるので安価であり、前後の鏡胴１，２を光軸方向に移動させるのみで組み付けが可能なので、極めて容易に組み立てることができる。
【００２４】
また、上述したように、固定レンズ枠１３はガイドシャフト８上を摺動自在とされているが、組立工程において前鏡胴１及び後ろ鏡胴２で挟み込んだ際に、前鏡胴１に設けた固定レンズ枠当接部１ｊと後鏡胴２に設けた固定レンズ枠当接部２ｊとが固定レンズ枠１３の連接腕部１３ｃの先端に設けた突出部１３ｃ２の光軸方向端面にそれぞれ略当接してこの突出部１３ｃ２をガタ無く挟み込むことで、この固定レンズ枠１３の光軸方向位置が固定されるようになっている（図１の破線矢印参照）。
【００２５】
上述した構成のズームレンズは、変倍レンズ枠１１が駆動ユニットにより、また、合焦レンズ枠１５がアクチュエータ５０によりそれぞれ独立して光軸方向に移動する。これらが最も離れた状態（ＷＩＤＥ側）を図３に示し、最も接近した状態（ＴＥＬＥ側）を図４に示している。
そして、移動する２つのレンズ枠である変倍レンズ枠１１及び合焦レンズ枠１５を支持するガイドシャフトがそれぞれで異なっている。
即ち、変倍レンズ枠１１はガイドシャフト８Ａ，８Ｃで支持し、合焦レンズ枠１５はガイドシャフト８Ｂ，８Ｄで支持している。
従って、２つのレンズ枠１１，１５が最も接近した際にも互いの腕部と連接腕部とが干渉することがなく、重なりあう位置になるように構成することができる（図４の連接腕部１１ｃと第２の腕部１５ｂ及び第１の腕部１１ａと連接腕部１５ｃ）。
【００２６】
また、固定レンズ枠１３を支持するシャフトは、変倍レンズ枠及び合焦レンズ枠の連接腕部１１ｃ，１５ｃではない方の第２の腕部１１ｂ，１５ｂを支持するガイドシャフト８Ａ，８Ｄで支持している。
従って、変倍レンズ枠１１及び合焦レンズ枠１５の連接腕部１１ｃ，１５ｃの長さＬ１，Ｌ３を、ガイドシャフト８上で可能な限り長くすることができるので、変倍レンズ枠１１及び合焦レンズ枠１５は、極めて安定した精度のよい摺動をすることができる。
また、軸方向長さの長い固定レンズ枠１３の連接腕部１３Ｃを、軸方向長さの短い、合焦レンズ枠１５の第２の腕部１５ｂと同じガイドシャフト８Ｄに支持させたので、シャフトと嵌合する部分の光軸方向長さが極めて短くて済み、ズームレンズ全体の光軸方向長さを短くすることができる。
さらに、この固定レンズ枠１３の連接腕部１３ｃは、ガイドシャフト８Ｄを長さＬ２の範囲で覆っており、この範囲でのガイドシャフト８Ｄの不要な反射を防止する。
【００２７】
反射防止リブ１ｇ，２ｇは、前鏡胴１の上壁１ｃの内面と後鏡胴２の下壁２ｃの内面とに設けてあり、これは金型の開く方向に対してアンダーカットにならないので各鏡胴１，２との一体形成が極めて容易であり、これらの面における所望の範囲に自由に形成することができる。
【００２８】
以上、詳述した実施例によれば、
（１）４本のシャフトを採用し、複数のレンズ枠がこれらのシャフトに嵌合する部分を、移動時でも互いに干渉することがないように組み合わせたので、ズームレンズの全長を極めて短くできる。
（２）（１）の構成により嵌合部を長くすることができるので、変倍レンズ枠及び合焦レンズ枠の移動が安定して精度よく行える。従って、解像度劣化や画揺れが発生することがなく、高い撮像性能を発揮することができる。
（３）鏡胴内の反射防止リブを容易に形成できるので、最適な位置にこれを設けて極めて効果的に内面反射を防止することができる。従って、フレアやゴーストが無く高いコントラストの高品位な撮像を得ることができる。
【００２９】
本発明の実施例は、上述した構成及び手順に限定されるものではなく、本発明の要旨を逸脱しない範囲において変形例としてもよいのは言うまでもない。
前玉レンズ７，固定マスターレンズ１２，合焦レンズ１４は、単レンズであっても複数のレンズからなるレンズ群でもよい。
また、駆動ユニット６やアクチュエータ５０は上述した構造に限定するものではなく、他の周知の駆動方法であってもよい。
【図面の簡単な説明】
【００３０】
【図１】本発明のズームレンズの実施例の外観斜視図である。
【図２】本発明のズームレンズの実施例を説明する組立図である。
【図３】本発明のズームレンズの実施例における要部を説明する第１の斜視図である。
【図４】本発明のズームレンズの実施例における要部を説明する第２の斜視図である。
【図５】本発明のズームレンズの実施例における要部を説明する正面図である。
【図６】本発明のズームレンズの実施例における要部を説明する底面図である。
【図７】本発明のズームレンズの実施例における要部を説明する側面図である。
【符号の説明】
【００３１】
１  前鏡胴
１ａ  前壁
１ｂ  左壁
１ｃ  上壁
１ｄ  レンズ枠
１ｅ  シャフト穴
１ｆ  下穴
１ｇ  反射防止リブ
１ｈ  突起
１ｊ  レンズ枠当接部
２  後鏡胴
２ａ  後壁
２ｂ  右壁
２ｃ  下壁
２ｄ  撮像素子装着部
２ｅ  シャフト穴
２ｇ  反射防止リブ
２ｈ  突起
２ｊ  レンズ枠当接部
３  ねじ
４  レンズブロック
５  アイリスブロック
６  駆動ユニット
６ａ  リードスクリュー
７  前玉レンズ
８（８Ａ〜８Ｄ）  ガイドシャフト
９  撮像素子
９Ａ  ローパスフィルタ
１０  変倍レンズ
１１  変倍レンズ枠
１１ａ，１１ｂ  第１，第２の腕部
１１ａ１  Ｕ字状切欠部
１１ｃ  連接腕部
１１ｅ  基準位置検出突起
１２  固定マスターレンズ
１３  固定レンズ枠
１３ａ，１３ｂ  第１，第２の腕部
１３ａ１  Ｕ字状切欠部
１３ｃ  連接腕部
１３ｃ１  貫通孔
１３ｃ２  レンズ枠当て
１４  合焦レンズ
１５  合焦レンズ枠
１５ａ，１５ｂ  第１，第２の腕部
１５ａ１  貫通孔
１５ｂ１  角孔
１５ｃ  連接腕部
１６  ホルダー部
１６ａ  ベース部
１７  コイル
１８  ポジションマグネット
５０  アクチュエータ
５０ａ  ヨーク
５０ｂ  マグネット
５１  位置センサ
１００  ズームレンズ
ＣＬ  光軸
【図１】
2005156934.tif 000003
【図２】
2005156934.tif 000004
【図３】
2005156934.tif 000005
【図４】
2005156934.tif 000006
【図５】
2005156934.tif 000007
【図６】
2005156934.tif 000008
【図７】
2005156934.tif 000009